(57)【要約】【課題】外槽上面の開口部を覆う外槽蓋をマグネットを用いた構造によって閉塞保持する場合に、ユーザが外槽蓋の開閉操作を容易に行い得る洗濯機を提供する。【解決手段】全自動洗濯乾燥機は、外槽カバー１００の内側投入口１０１を閉塞する外槽蓋２３を備える。外槽蓋２３の取っ手３００は、外槽蓋２３が内側投入口１０１を閉塞した状態において外槽カバー１００に対向する取っ手側配置面３３５と、取っ手側配置面３３５内において配置された取っ手側吸着面３２２と、手が掛けられる手掛部３１５とを含む。外槽カバー１００は、取っ手側配置面３３５に対応する外槽側配置面１５１と、外槽側配置面１５１内において配置され、取っ手側吸着面３２２が接触する外槽側吸着面１６１とを含む。手掛部３１５が持ち上げられると、取っ手側配置面３３５の突起部３３６を支点として取っ手側配置面３３５が回動し、取っ手側吸着面３２２が外槽側吸着面１６１から離脱する。【選択図】図７
2019097683.tif 000002
【特許請求の範囲】
【請求項１】
筐体内に弾性的に支持された外槽と、
前記外槽内に回転可能に配置され、洗濯物が収容される洗濯脱水槽と、
前記外槽の上面に設けられた開口部を閉塞する外槽蓋と、を備え、
前記外槽蓋は、その一端部に第１の回転軸を有し、前記外槽に対して前記第１の回転軸を中心に回動することにより開閉し、その他端部に前記第１の回転軸に平行な第２の回転軸を中心に回転可能な取っ手を有し、
前記取っ手は、
前記外槽蓋が前記開口部を閉塞した状態において前記外槽の上面に対向する第１の配置面と、
前記第１の配置面内において配置された第１の吸着面と、
前記第１の回転軸と前記第２の回転軸との並び方向に前記第１の吸着面から離れるように設けられ、ユーザの手が掛けられる手掛部と、を含み、
前記外槽の上面は、
前記第１の配置面に対応する第２の配置面と、
前記第２の配置面内において配置され、前記外槽蓋が前記開口部を閉塞した状態において前記第１の吸着面が接触する第２の吸着面と、を含み、
前記第１の吸着面および前記第２の吸着面のうち、一方の面が、マグネットによる磁力を発生し、他方の面が、発生した磁力によって前記一方の面に引き付けられ、
前記外槽蓋が前記開口部を閉塞した状態において前記手掛部が持ち上げられると、前記第１の配置面における前記第１の吸着面を挟んで前記手掛部と反対側の位置に支点が形成され、当該支点を中心に前記第１の配置面が回動して、前記第１の吸着面が前記第２の吸着面から離脱する、
ことを特徴とする洗濯機。
【請求項２】
請求項１に記載の洗濯機において、
前記第２の配置面は、前記外槽の上面よりも高くなるよう構成され、
前記第１の配置面は、前記手掛部の方向とは反対方向に前記第２の配置面よりも張り出し、張り出した面部分と前記外槽の上面との間に空間が形成される、
ことを特徴とする洗濯機。
【請求項３】
請求項２に記載の洗濯機において、
前記第１の配置面には、前記第１の吸着面に対して前記手掛部と反対側に、前記外槽の上面側に突出し、前記支点となる突起部が設けられ、
前記外槽の上面には、前記第２の配置面から続くように前記空間側へと下り、前記突起部が接する傾斜面が設けられる、
ことを特徴とする洗濯機。
【請求項４】
請求項３に記載の洗濯機において、
前記突起部は、前記傾斜面と平行な面を有する、
ことを特徴とする洗濯機。
【請求項５】
請求項４に記載の洗濯機において、
前記突起部の先端部は、Ｒ形状を有する、
ことを特徴とする洗濯機。
【請求項６】
請求項１ないし５の何れか一項に記載の洗濯機において、
前記一方の面は、前記マグネットの表面により構成され、
前記他方の面は、磁性体の表面により構成される、
ことを特徴とする洗濯機。
【発明の詳細な説明】
【技術分野】
【０００１】
本発明は、洗濯機に関する。
【背景技術】
【０００２】
外箱内に弾性支持された水槽の上面の開口が、中央に開口部を有する槽カバーで閉塞され、開口部が内蓋で開閉される洗濯機が、たとえば、特許文献１に記載されている。特許文献１の洗濯機では、内蓋に回動操作されるハンドルが設けられる。ハンドルには、爪部を有するフック部材が設けられる。内蓋が閉塞されると、フック部材の爪部が、槽カバー側に設けられた係止部材の爪部と係合し、内蓋が閉塞状態に保持される。
【０００３】
このように、内蓋を閉塞状態に保持するために、爪部による構造が採られた場合、内蓋が開放されたときに爪部の構造が外部に露出することになり、開放された内蓋をユーザが見たときに、必ずしも見栄えの良いものとならない。
【０００４】
そこで、内蓋の見栄えを良くするために、マグネットを用い、マグネットの吸着力により内蓋を閉塞状態に保持する構造を採ることが考えられる。
【０００５】
たとえば、特許文献２には、洗濯機において、洗剤供給装置における蓋の閉塞を保持するためにマグネットが用いられることが記載されている。
【先行技術文献】
【特許文献】
【０００６】
【特許文献１】特開２０１０−２００９４３号公報
【特許文献２】特開２００５−５１４１３３号公報
【発明の概要】
【発明が解決しようとする課題】
【０００７】
特許文献２のように、洗剤供給装置の蓋の閉塞保持にマグネットが用いられる場合、その吸着力が弱くてよいので、ユーザは蓋の開閉操作を支障なく行いやすい。
【０００８】
一方、内蓋には、脱水時に生じ得る水槽の上下振動や洗い時等に生じ得る洗濯物の内蓋への衝突により、開放方向に大きな力が加わりやすい。このため、内蓋の閉塞保持にマグネットが用いられる場合、強い吸着力が求められる。よって、この場合、ユーザによる開閉操作が行いづらくなることが懸念される。
【０００９】
そこで、本発明は、外槽上面の開口部を覆う外槽蓋を、マグネットを用いた構造によって閉塞保持する場合に、ユーザが外槽蓋の開閉操作を容易に行い得る洗濯機を提供することを目的とする。
【課題を解決するための手段】
【００１０】
本発明の主たる態様に係る洗濯機は、筐体内に弾性的に支持された外槽と、前記外槽内に回転可能に配置され、洗濯物が収容される洗濯脱水槽と、前記外槽の上面に設けられた開口部を閉塞する外槽蓋と、を備える。ここで、前記外槽蓋は、その一端部に第１の回転軸を有し、前記外槽に対して前記第１の回転軸を中心に回動することにより開閉し、その他端部に前記第１の回転軸に平行な第２の回転軸を中心に回転可能な取っ手を有する。前記取っ手は、前記外槽蓋が前記開口部を閉塞した状態において前記外槽の上面に対向する第１の配置面と、前記第１の配置面内において配置された第１の吸着面と、前記第１の回転軸と前記第２の回転軸との並び方向に前記第１の吸着面から離れるように設けられ、ユーザの手が掛けられる手掛部と、を含む。前記外槽の上面は、前記第１の配置面に対応する第２の配置面と、前記第２の配置面内において配置され、前記外槽蓋が前記開口部を閉塞した状態において前記第１の吸着面が接触する第２の吸着面と、を含む。前記第１の吸着面および前記第２の吸着面のうち、一方の面が、マグネットによる磁力を発生し、他方の面が、発生した磁力によって前記一方の面に引き付けられる。前記外槽蓋が前記開口部を閉塞した状態において前記手掛部が持ち上げられると、前記第１の配置面における前記第１の吸着面を挟んで前記手掛部と反対側の位置に支点が形成され、当該支点を中心に前記第１の配置面が回動して、前記第１の吸着面が前記第２の吸着面から離脱する。
【００１１】
上記の構成によれば、手掛部を力点、第１の吸着面における第２の吸着面との接触領域を作用点とするテコの原理によって、第１の吸着面を第２の吸着面から容易に引き離すことができる。これにより、ユーザは、外槽蓋の開閉操作を容易に行うことができる。
【００１２】
本態様に係る洗濯機において、前記第２の配置面は、前記外槽の上面よりも高くなるよう構成され、前記第１の配置面は、前記手掛部の方向とは反対方向に前記第２の配置面よりも張り出し、張り出した面部分と前記外槽の上面との間に空間が形成されるような構成が採られ得る。
【００１３】
上記の構成によれば、第１の配置面の端部ではなく、第１の配置面における第１の吸着面に近い部分に支点を形成することができるので、支点から作用点である第１吸着面の接触領域までの距離を短くできる。これにより、第１の吸着面の接触領域に上方への大きな力が加わりやすくなり、第１の吸着面を第２の吸着面から、一層、容易に引き離すことが可能となる。
【００１４】
上記の構成とされた場合、さらに、前記第１の配置面には、前記第１の吸着面に対して前記手掛部と反対側に、前記外槽の上面側に突出し、前記支点となる突起部が設けられ得る。この場合、前記外槽の上面には、前記第２の配置面から続くように前記空間側へと下り、前記突起部が接する傾斜面が設けられる。
【００１５】
手掛部が持ち上げられることにより取っ手が回動すると、それに伴って第２の回転軸が上方へ移動し、外槽蓋が第１の回転軸を中心に回動して僅かに開く。取っ手には、外槽蓋が開くことにより、取っ手を水平方向に引く力が加わる。上記の構成では、取っ手が水平方向に引かれると、傾斜面が突起部により水平方向に押され、この水平方向の力が上方向への力に変換されて突起部に作用する。これにより、突起部が傾斜面に沿って上昇し、取っ手が回動すると同時に上昇するので、第１の吸着面が第２の吸着面から、より一層、容易に引き離すことが可能となる。
【００１６】
上記の構成とされた場合、さらに、前記突起部は、前記傾斜面と平行な面を有するような構成とされ得る。
【００１７】
このような構成とされると、突起部の平行な面が傾斜面にほぼ面接触するので、突起部で傾斜面を後方に良好に押すことができ、傾斜面で変換された上方向への力を十分に突起部に加えることができる。これにより、取っ手を上昇させやすくすることができ、第１の吸着面を第２の吸着面から、さらにより一層、容易に引き離すことが可能となる。
【００１８】
上記の構成とされた場合、さらに、前記突起部の先端部は、Ｒ形状を有し得る。
【００１９】
このような構成とされると、取っ手の回動が進んだ際に、先端部が傾斜面に引っ掛かりにくく、取っ手を円滑に回動することが可能となる。
【００２０】
本態様に係る洗濯機において、前記一方の面は、前記マグネットの表面により構成され得る。この場合、前記他方の面は、磁性体の表面により構成される。
【００２１】
上記の構成によれば、第１の吸着面と第２の吸着面とを強く吸着させることができ、外槽蓋により開口部を強固に閉塞することができる。
【発明の効果】
【００２２】
本発明によれば、外槽上面の開口部を覆う外槽蓋を、マグネットを用いた構造によって閉塞保持する場合に、ユーザは、外槽蓋の開閉操作を容易に行うことができる。
【００２３】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２４】
【図１】図１は、実施の形態に係る、全自動洗濯乾燥機の側面断面図である。
【図２】図２は、実施の形態に係る、全自動洗濯乾燥機の上部の背面斜視図である。
【図３】図３（ａ）は、実施の形態に係る、外槽蓋により内側投入口が閉塞された状態の外槽カバーの斜視図であり、図３（ｂ）は、実施の形態に係る、外槽蓋が取り外された状態の外槽カバーの斜視図である。
【図４】図４は、実施の形態に係る、マグネットが分離された状態の吸着台の周辺が示された外槽カバーの要部の斜視図である。
【図５】図５（ａ）は、実施の形態に係る、前上方から見た蓋本体の斜視図であり、図５（ｂ）は、実施の形態に係る、前下方から見た蓋本体の斜視図である。
【図６】図６（ａ）は、実施の形態に係る、前上方から見た取っ手の分解斜視図であり、図６（ｂ）は、実施の形態に係る、後下方から見た取っ手の斜視図である。
【００２５】
【図７】図７（ａ）は、実施の形態に係る、外槽蓋が閉じられた状態の取っ手の周辺が示された外槽カバーおよび外槽蓋の要部の断面図であり、図７（ｂ）は、実施の形態に係る、外槽蓋を開くために取っ手を回動させた状態の取っ手の周辺が示された外槽カバーおよび外槽蓋の要部の断面図である。
【図８】図８は、変更例に係る、外槽蓋の構成について説明するための図である。
【発明を実施するための形態】
【００２６】
以下、本発明の実施形態について、図面を参照して説明する。
【００２７】
図１は、本実施の形態に係る、全自動洗濯乾燥機１の側面断面図である。図２は、本実施の形態に係る、全自動洗濯乾燥機１の上部の背面斜視図である。
【００２８】
全自動洗濯乾燥機１は、外観を構成する筐体１０を備える。筐体１０は、上下の面が開放された方形筒状の胴体部１１と、胴体部１１の上面を覆う上面板１２と、胴体部１１を支持する脚台１３とを含む。上面板１２には、洗濯物を投入するための外側投入口１４が形成される。外側投入口１４は、開閉自在な上蓋１５により覆われる。
【００２９】
筐体１０内には、外槽２０が、防振装置を有する４本の吊棒２１により弾性的に吊り下げ支持される。外槽２０は、上面が開口するほぼ円筒状の外槽本体２２と、外槽本体２２の上面を覆うことにより、外槽２０の上面を構成する外槽カバー１００とを含む。外槽２０の上面、即ち外槽カバー１００には、外側投入口１４に対応する位置に、洗濯物を投入するための内側投入口１０１が形成される。内側投入口１０１は、外槽蓋２３により開閉可能に覆われる。
【００３０】
外槽２０内には、上面が開放されたほぼ円筒状の洗濯脱水槽２４が配される。洗濯脱水槽２４の内周面には、全周に亘って多数の脱水孔２４ａが形成される。洗濯脱水槽２４の上部には、バランスリング２５が設けられる。洗濯脱水槽２４の底部には、パルセータ２６が配される。パルセータ２６の表面には、放射状に複数の羽根２６ａが設けられる。
【００３１】
外槽２０の外底部には、洗濯脱水槽２４およびパルセータ２６を駆動するトルクを発生させる駆動ユニット３０が配される。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２６のみに伝達してパルセータ２６のみを回転させ、脱水工程では、駆動モータ３１のトルクをパルセータ２６および洗濯脱水槽２４に伝達してパルセータ２６および洗濯脱水槽２４を一体的に回転させる。
【００３２】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２４および外槽２０に溜められた水が排水ホース４１を通じて機外へ排出される。
【００３３】
筐体１０内の後部には、外槽２０の上方に乾燥装置５０と給水装置６０とが配置される。乾燥装置５０と給水装置６０は、胴体部１１の上面後部に配置された固定板１６に取り付けられ、上面板１２により覆われる。
【００３４】
乾燥装置５０は、洗濯脱水槽２４内に収容された洗濯物を乾燥させる。乾燥装置５０はヒータと送風ファンが配置された循環風路５０ａを含み、循環風路５０ａが、吸気ダクト７１および排気ダクト７２によって外槽２０の内部と接続される。吸気ダクト７１および排気ダクト７２は、フレキシブルなダクトであり、ゴム等の弾性材料で形成され、中間部分に図示しない蛇腹部を有する。ヒータおよび送風ファンの動作により生成した温風が、循環風路５０ａから排出され、吸気ダクト７１を通じて外槽２０内に導入される。さらに、外槽２０から排出された温風が、排気ダクト７２を通じて循環風路５０ａ内に導入される。こうして、循環風路５０ａと外槽２０との間で温風が循環する。
【００３５】
乾燥装置５０は、温風の循環による循環乾燥動作と、それに続く、循環する温風の一部を外部へ排出させる排気乾燥動作とを行う。上面板１２には、多数の排気孔で構成され、温風が排出される排気口５１が設けられる。
【００３６】
給水装置６０は、外部に露出する給水口６１が、水栓から延びる図示しない外部給水ホースに接続される。給水装置６０は給水バルブおよび洗剤容器を含み、給水バルブが開放されることにより、水栓からの水道水が洗剤容器内に収容された洗剤とともに外槽２０内に供給される。給水装置６０は、風呂水ポンプを含んでいてもよい。
【００３７】
全自動洗濯乾燥機１では、各種運転コースの洗濯運転、洗濯乾燥運転または乾燥運転が行われる。洗濯運転は、洗濯のみを行う運転であり、洗い工程、中間脱水工程、すすぎ工程および最終脱水工程が順番に実行される。洗濯乾燥運転は、洗濯から乾燥までを連続的に行う運転であり、最終脱水工程に続いて乾燥工程が実行される。乾燥運転は、乾燥のみを行う運転であり、乾燥工程のみが実行される。
【００３８】
洗い工程およびすすぎ工程では、洗濯脱水槽２４内に水が溜められた状態で、パルセータ２６が右方向および左方向に回転する。パルセータ２６の回転により洗濯脱水槽２４内に水流が発生する。洗い工程では、発生した水流と水に含まれる洗剤とにより洗濯物が洗われる。すすぎ工程では、発生した水流により洗濯物がすすがれる。
【００３９】
中間脱水工程および最終脱水工程では、洗濯脱水槽２４およびパルセータ２６が一体となって高速回転する。洗濯脱水槽２４に発生する遠心力の作用により、洗濯物が脱水される。
【００４０】
乾燥工程では、最初に内気循環乾燥工程が行われ、それに続いて外気導入乾燥工程が行われる。内気循環乾燥工程では、乾燥装置５０により循環乾燥動作が行われ、循環風路５０ａと外槽２０との間で温風が循環する。乾燥風の循環により、洗濯脱水槽２４内の温度が速やかに上昇する。パルセータ２６が回転され、洗濯物が撹拌されつつ、循環する温風により乾燥される。洗濯脱水槽２４内の温度上昇が進み、洗濯物から水分が蒸発して温風に水分が多く含まれるようになると、外気導入乾燥工程に切り替えられる。外気導入乾燥工程では、乾燥装置５０により排気乾燥動作が行われ、循環風路５０ａに外気が導入されるとともに、循環風路５０ａから循環する温風の一部が排気される。洗濯物から蒸発した水分が、効果的に外槽２０内から筐体１０の外に排出され、外槽２０内が除湿されやすくなるため、洗濯物の乾燥が促進される。
【００４１】
次に、外槽カバー１００および外槽蓋２３の構成にいて、図３（ａ）ないし図７を参照し、詳細に説明する。
【００４２】
図３（ａ）は、本実施の形態に係る、外槽蓋２３により内側投入口１０１が閉塞された状態の外槽カバー１００の斜視図であり、図３（ｂ）は、本実施の形態に係る、外槽蓋２３が取り外された状態の外槽カバー１００の斜視図である。図４は、本実施の形態に係る、マグネット１６０が分離された状態の吸着台１５０の周辺が示された外槽カバー１００の要部の斜視図である。
【００４３】
外槽カバー１００は、ほぼ円盤状を有し、樹脂材料により形成される。内側投入口１０１は、外槽カバー１００の中央部に形成され、ほぼ半円形状を有する。内側投入口１０１は、本発明の開口部に相当する。
【００４４】
外槽カバー１００には、内側投入口１０１の後方に、左右に分かれるように一対の軸受部１１０が設けられる。各軸受部１１０には、左右方向に軸孔１１１が形成される。また、外槽カバー１００には、一対の軸受部１１０の後方に、円筒状の吸気口部１２０、排気口部１３０および注水口部１４０が設けられる。吸気口部１２０および排気口部１３０は、それぞれ、吸気ダクト７１および排気ダクト７２を介して乾燥装置５０に接続される。注水口部１４０は、図示しないフレキシブルな注水ダクトを介して給水装置６０に接続される。注水口部１４０は、複数の注水孔１４１を有し、給水装置６０から送られてきた水が、これら注水孔１４１からシャワー状となって外槽２０内に注がれる。
【００４５】
外槽カバー１００には、内側投入口１０１の前方に吸着台１５０が設けられる。図４に示すように、吸着台１５０は、左右方向に長尺な台形柱状を有する。吸着台１５０の上面が外槽側配置面１５１となり、吸着台１５０の前面が、外槽側配置面１５１から続くように前方へと下る外槽側傾斜面１５２となる。外槽側配置面１５１には、円柱状を有する４つの凹部１５３が、左右方向に並ぶように形成される。各凹部１５３内に、円柱状を有するマグネット１６０が装着され、固定される。４つのマグネット１６０の上端面１６０ａは、外槽側配置面１５１よりも僅かに突出する。これら４つの上端面１６０ａにより、マグネット１６０による磁力を発生する外槽側吸着面１６１が構成される。外槽側吸着面１６１は、外槽側配置面１５１内に配置された状態となる。外槽側傾斜面１５２の外槽側配置面１５１に対する傾斜角度は、たとえば、ほぼ４５度とされる。なお、外槽側配置面１５１は、本発明の第２の配置面に相当し、外槽側吸着面１６１は、本発明の第２の吸着面に相当する。また、外槽側傾斜面１５２は、本発明の傾斜面に相当する。
【００４６】
外槽蓋２３は、内側投入口１０１を覆う蓋本体２００と、蓋本体２００の前端部に取り付けられた可動式の取っ手３００とを含む。
【００４７】
図５（ａ）は、本実施の形態に係る、前上方から見た蓋本体２００の斜視図であり、図５（ｂ）は、本実施の形態に係る、前下方から見た蓋本体２００の斜視図である。
【００４８】
蓋本体２００は、内側投入口１０１よりもやや大きく、内側投入口１０１に対応する形状を有する。蓋本体２００には、後端部に、左右に分かれるように一対の軸部２１０が設けられる。左側の軸部２１０は左方向に延び、右側の軸部２１０は右方向に延びる。図３（ａ）に示すように、各軸部２１０が、外槽カバー１００における、対応する軸受部１１０の軸孔１１１に挿入される。一対の軸部２１０および一対の軸受部１１０によって蓋回転軸Ｒ１が形成される。外槽蓋２３は、外槽カバー１００に対して蓋回転軸Ｒ１を中心に回動することにより開閉する。なお、蓋回転軸Ｒ１は、本発明の第１の回転軸に相当する。
【００４９】
蓋本体２００には、前端部に、左右に分かれるように一対の支持板２２０が設けられる。支持板２２０には、支軸部２２１が形成される。左側の支持板２２０の支軸部２２１は左方向に延び、右側の支持板２２０支軸部２２１は右方向に延びる。
【００５０】
蓋本体２００には、裏面の外縁部に、環状のパッキン２３０が設けられる。パッキン２３０は、ゴム材料により形成され、中央部分が外側に膨らむような形状を有する。外槽蓋２３が内側投入口１０１を閉塞した状態において、パッキン２３０が外槽カバー１００における内側投入口１０１の外周部分に接触し、押し潰される。これにより、外槽蓋２３と外槽カバー１００との間がパッキン２３０によってシールされる。
【００５１】
図６（ａ）は、本実施の形態に係る、前上方から見た取っ手３００の分解斜視図であり、図６（ｂ）は、本実施の形態に係る、後下方から見た取っ手３００の斜視図である。
【００５２】
取っ手３００は、取っ手本体３１０と、吸着金具３２０と、金具保持体３３０とにより構成される。取っ手本体３１０は、樹脂材料により形成され、前壁面部３１１、上壁面部３１２、左壁面部３１３、右壁面部３１４および手掛部３１５を含む。前壁面部３１１と上壁面部３１２との間の角部は、大きな曲面形状を有する。手掛部３１５は、上壁面部３１２を後方に延長するようにして形成される。手掛部３１５には、外槽蓋２３を開閉する際、ユーザの手が掛けられる。手掛部３１５は、蓋回転軸Ｒ１と取っ手回転軸Ｒ２との並び方向、言い換えれば水平方向において取っ手回転軸Ｒ２の軸心方向に垂直な方向に、後述する取っ手側吸着面３２２から離反する位置に設けられればよい。
【００５３】
左壁面部３１３および右壁面部３１４には、それらの前下部に軸孔３１６が形成される。図３（ａ）に示すように、各軸孔３１６に、蓋本体２００における、対応する支持板２２０の支軸部２２１が挿入される。左右の軸孔３１６および一対の支軸部２２１によって取っ手回転軸Ｒ２が形成される。取っ手回転軸Ｒ２は、蓋回転軸Ｒ１と平行となる。取っ手３００は、蓋本体２００に対して取っ手回転軸Ｒ２を中心に回動することが可能となる。前壁面部３１１および上壁面部３１２の裏側には、左右方向並ぶように複数の押さえリブ３１７が設けられる。なお、取っ手回転軸Ｒ２は、本発明の第２の回転軸に相当する。
【００５４】
吸着金具３２０は、鉄などの磁性材料により形成され、左右の端部がやや先細りの長方形の板状を有する。吸着金具３２０の左右の端部には、孔部３２１が形成される。吸着金具３２０の下面は、外槽側吸着面１６１が発生した磁力により引き付けられる取っ手側吸着面３２２となる。なお、吸着金具３２０は、本発明の磁性体に相当し、取っ手側吸着面３２２は、本発明の第１の吸着面に相当する。
【００５５】
金具保持体３３０は、樹脂材料により形成され、上面が開口し、左右に長尺であり上下に薄い長方形の箱状を有する。金具保持体３３０には、底壁面部３３１の内面に、吸着金具３２０の形状に形成された収容凹部３３２が形成される。金具保持体３３０には、収容凹部３３２の前側と後側とに、それぞれ２つの爪部３３３ａ、３３３ｂが設けられ、収容凹部３３２の左側と右側とに、それぞれ１つの爪部３３３ｃが設けられる。収容凹部３３２に吸着金具３２０が収容されると、吸着金具３２０の上面の周縁部が、これら爪部３３３ａ、３３３ｂ、３３３ｃにより押さえられる。
【００５６】
金具保持体３３０の底壁面部３３１には、収容凹部３３２の中央部に、長円形状の開口部３３４が形成される。収容凹部３３２に収容された吸着金具３２０の下面、即ち、取っ手側吸着面３２２が開口部３３４から外部に臨む。底壁面部３３１の外面と取っ手本体３１０の前壁面部３１１の下端面とで、外槽カバー１００に対向する取っ手側配置面３３５が構成され、この取っ手側配置面３３５内に取っ手側吸着面３２２が配置された状態となる。取っ手側配置面３３５には、開口部３３４の前方、即ち、取っ手側吸着面３２２に対して手掛部３１５と反対側に、左右に長尺な突起部３３６が設けられる。突起部３３６の左右の長さは、吸着台１５０の左右方向の長さとほぼ等しくされる。突起部３３６には、開口部３３４側に取っ手側傾斜面３３７が形成される。取っ手側傾斜面３３７の取っ手側配置面３３５に対する傾斜角度は、たとえば、ほぼ４５度とされる。取っ手側吸着面３２２と外槽側吸着面１６１とが吸着した状態において、取っ手側傾斜面３３７は、外槽側傾斜面１５２と平行になる。さらに、突起部３３６の先端部３３８はＲ形状とされる。なお、取っ手側配置面３３５は、本発明の第１の配置面に相当し、取っ手側傾斜面３３７は、本発明の平行な面に相当する。
【００５７】
吸着金具３２０が保持された金具保持体３３０が下方から取っ手本体３１０に取り付けられ、接着、ネジ止め等の固定方法により、取っ手本体３１０に固定される。吸着金具３２０の上面が、複数の押さえリブ３１７により押さえられる。また、吸着金具３２０の孔部３２１に、取っ手本体３１０の上壁面部３１２から下方に延びる図示しないボスが挿入される。こうして、吸着金具３２０は、複数の爪部３３３ａ、３３３ｂ、３３３ｃ、複数の押さえリブ３１７等により、金具保持体３３０の収容凹部３３２内において固定される。
【００５８】
次に、外槽蓋２３の開閉動作について説明する。
【００５９】
図７（ａ）は、本実施の形態に係る、外槽蓋２３が閉じられた状態の取っ手３００の周辺が示された外槽カバー１００および外槽蓋２３の要部の断面図であり、図７（ｂ）は、本実施の形態に係る、外槽蓋２３を開くために取っ手３００を回動させた状態の取っ手３００の周辺が示された外槽カバー１００および外槽蓋２３の要部の断面図である。なお、図７（ａ）および（ｂ）では、押し潰されていない状態のパッキン２３０が示されているが、実際には、パッキン２３０は押しつぶされて外槽カバー１００の表面と接触している。
【００６０】
図７（ａ）に示すように、外槽蓋２３が閉じられ、外槽蓋２３によって内側投入口１０１が閉塞されると、取っ手３００の取っ手側吸着面３２２が外槽カバー１００の外槽側吸着面１６１に接触し、外槽側吸着面１６１が発生するマグネット１６０の磁力によって、取っ手側吸着面３２２が外槽側吸着面１６１に吸着される。ここで、取っ手側吸着面３２２と外槽側吸着面１６１との間の吸着力は、パッキン２３０の弾性力より強く、且つ、脱水時の外槽２０の上下振動や洗い時等の外槽蓋２３への洗濯物の衝突により外槽蓋２３に生じ得る上方への力よりも強い力とされ得る。
【００６１】
取っ手側配置面３３５は、外槽側配置面１５１よりも前方、即ち、取っ手３００の手掛部３１５とは反対方向に張り出し、張り出した面部分と外槽カバー１００、即ち外槽２０の上面との間に空間Ｓが形成される。さらに、取っ手側配置面３３５に設けられた突起部３３６の取っ手側傾斜面３３７が、外槽側傾斜面１５２と平行であってほぼ接する状態となる。
【００６２】
外槽蓋２３を開ける際には、ユーザは、取っ手３００の手掛部３１５に手の指を掛けて、手掛部３１５を上斜め前方に持ち上げる。図７（ｂ）に示すように、手掛部３１５が持ち上げられると、突起部３３６の取っ手側傾斜面３３７が外槽側傾斜面１５２と接し、突起部３３６を支点として取っ手３００が前方へ回動する。これにより、取っ手側配置面３３５が回動し、取っ手側吸着面３２２が外槽側吸着面１６１から引き離される。このとき、手掛部３１５が力点、突起部３３６が支点、取っ手側吸着面３２２における外槽側吸着面１６１との接触領域が作用点となり、テコの原理によって、取っ手側吸着面３２２の接触領域に上方への大きな力が働くので、取っ手側吸着面３２２が外槽側吸着面１６１から引き離されやすくなる。
【００６３】
取っ手３００が前方へ回動するとき、それに伴って取っ手回転軸Ｒ２が上方へ移動し、蓋本体２００、即ち、外槽蓋２３が、蓋回転軸Ｒ１を中心に回動して上方へと移動し、僅かに開く。外槽蓋２３が回動するとき、取っ手回転軸Ｒ２は真上ではなく上斜め後方に移動するため、取っ手３００には、取っ手３００を後方へ引く力が加わる。取っ手３００では、突起部３３６が外槽側傾斜面１５２に接しているので、外槽側傾斜面１５２が突起部３３６により後方へ押され、この後方への力の上方への力に変換されて突起部３３６に作用することになる。これにより、突起部３３６が外槽側傾斜面１５２に沿って上昇し、取っ手３００が回動すると同時に上昇するので、取っ手側吸着面３２２が外槽側吸着面１６１から、一層、引き離されやすくなる。
【００６４】
ここで、突起部３３６には、外槽側傾斜面１５２と平行となる取っ手側傾斜面３３７が形成されており、突起部３３６が外槽側傾斜面１５２と最初に接するとき、取っ手側傾斜面３３７が外槽側傾斜面１５２にほぼ面接触する。このため、取っ手側傾斜面３３７で外槽側傾斜面１５２を後方に良好に押すことができ、外槽側傾斜面１５２で変換された上方への力が良好に突起部３３６に加えられる。また、取っ手３００の前方への回動が進むと、外槽側傾斜面１５２には、突起部３３６の先端部３３８が接するようになる。突起部３３６の先端部３３８は、Ｒ形状とされているので、外槽側傾斜面１５２に引っ掛かりにくく、取っ手３００が円滑に回動する。
【００６５】
取っ手側吸着面３２２が外槽側吸着面１６１から引き離されると、ユーザは、取っ手３００を持ったまま、外槽蓋２３を後方に回動させて、外槽蓋２３を大きく開く。これにより、内側投入口１０１が開放される。
【００６６】
＜実施の形態の効果＞
以上、本実施の形態によれば、突起部３３６を支点とし、手掛部３１５を力点、取っ手側吸着面３２２における外槽側吸着面１６１との接触領域を作用点とするテコの原理によって、取っ手側吸着面３２２を外槽側吸着面１６１から容易に引き離すことができる。これにより、ユーザは、外槽蓋２３の開閉操作を容易に行うことができる。
【００６７】
また、本実施の形態によれば、取っ手側吸着面３２２の前方において、取っ手側配置面３３５と外槽カバー１００との間に空間Ｓが形成されているので、取っ手側配置面３３５の前端部ではなく、取っ手側配置面３３５における取っ手側吸着面３２２に近い部分に支点である突起部３３６を形成することができる。これにより、支点である突起部３３６から作用点である取っ手側吸着面３２２の接触領域までの距離を短くできるので、取っ手側吸着面３２２の接触領域に上方への大きな力が加わりやすくなる。よって、取っ手側吸着面３２２を外槽側吸着面１６１から、一層、容易に引き離すことが可能となる。
【００６８】
さらに、本実施の形態によれば、取っ手３００が回動したときに突起部３３６が外槽側傾斜面１５２に接する構成とし、取っ手３００を回動させたときに生じる取っ手３００を後方へ移動させる力が上方への力に変換されて突起部３３６に作用するようにしているので、突起部３３６を外槽側傾斜面１５２に沿って上昇させることができ、取っ手３００を、回動させると同時に上昇させることができる。これにより、取っ手側吸着面３２２を外槽側吸着面１６１から、より一層、容易に引き離すことが可能となる。
【００６９】
さらに、本実施の形態によれば、突起部３３６に形成された取っ手側傾斜面３３７を外槽側傾斜面１５２にほぼ面接触させることで、取っ手側傾斜面３３７で外槽側傾斜面１５２を後方に良好に押すことができ、外槽側傾斜面１５２で変換された上方への力を十分に突起部３３６に加えることができる。これにより、取っ手３００を上昇させやすくすることができ、取っ手側吸着面３２２を外槽側吸着面１６１から、さらにより一層、容易に引き離すことが可能となる。
【００７０】
さらに、本実施の形態によれば、突起部３３６の先端部３３８がＲ形状とされているので、取っ手３００の前方への回動が進んだ際に、先端部３３８が外槽側傾斜面１５２に引っ掛かりにくく、取っ手３００を円滑に回動することが可能となる。
【００７１】
さらに、本実施の形態によれば、取っ手側吸着面３２２が吸着金具３２０の下面で構成され、外槽側吸着面１６１がマグネット１６０の上端面１６０ａで構成されており、即ち、吸着金具３２０とマグネット１６０とが直接、接触する構成とされているので、取っ手側吸着面３２２と外槽側吸着面１６１とを強く吸着させることができる。よって、外槽蓋２３により内側投入口１０１を強固に閉塞することができる。
【００７２】
以上、本発明の実施の形態について説明したが、本発明は、上記実施の形態等によって何ら制限されるものではなく、また、本発明の実施の形態も、上記以外に種々の変更が可能である。
【００７３】
たとえば、上記実施の形態では、吸着金具３２０とマグネット１６０とが直接、接触する構成が採られた。しかしながら、図８（ａ）に示すように、金具保持体３３０の底壁面部３３１に開口部３３４を設けないとともに、マグネット１６０の上端面１６０ａをカバー１５４で覆うようにすることにより、吸着金具３２０とマグネット１６０とが直接、接触しない構成が採られてもよい。この場合、金具保持体３３０の底壁面部３３１の外面における吸着金具３２０の下面の投影範囲が取っ手側吸着面３２２となり、カバー１５４の上面におけるマグネット１６０の上端面１６０ａの投影範囲が外槽側吸着面１６１となる。なお、金具保持体３３０の底壁面部３３１に開口部３３４が設けられ、マグネット１６０の上端面１６０ａがカバー１５４で覆われる構成が採られてもよいし、金具保持体３３０の底壁面部３３１に開口部３３４が設けられず、マグネット１６０の上端面１６０ａがカバー１５４で覆われない構成が採られてもよい。上記のような構成とされた場合には、マグネット１６０の磁力を、上記実施の形態の場合の磁力よりも強くすることが望ましい。
【００７４】
また、上記実施の形態では、外槽カバー１００側にマグネット１６０が配置され、取っ手３００側に吸着金具３２０が配置された。しかしながら、図８（ｂ）に示すように、外槽カバー１００側に吸着金具１７０が配置され、取っ手３００側にマグネット３４０が配置されてもよい。この場合、マグネット３４０の下端面が、取っ手側吸着面３４１となり、吸着金具１７０の上面が、外槽側吸着面１７１となる。
【００７５】
さらに、上記実施の形態では、衣類の乾燥機能が搭載された全自動洗濯乾燥機１に本発明が適用された例が示された。しかしながら、外槽２０の上面の内側投入口１０１を覆う外槽蓋２３が設けられる構成であれば、衣類の乾燥機能が搭載されていない全自動洗濯機に本発明を適用することもできる。
【００７６】
この他、本発明の実施の形態は、特許請求の範囲に示された技術的思想の範囲内において、適宜、種々の変更が可能である。
【符号の説明】
【００７７】
１  全自動洗濯乾燥機（洗濯機）
１０  筐体
２０  外槽
２３  外槽蓋
２４  洗濯脱水槽
１００  外槽カバー（外槽の上面）
１０１  内側投入口（開口部）
１５１  外槽側配置面（第２の配置面）
１５２  外槽側傾斜面（傾斜面）
１６０  マグネット
１６１  外槽側吸着面（第２の吸着面）
３００  取っ手
３１５  手掛部
３２０  吸着金具（磁性体）
３２２  取っ手側吸着面（第１の吸着面）
３３５  取っ手側配置面（第１の配置面）
３３６  突起部
３３７  取っ手側傾斜面（平行な面）
３３８  先端部
Ｒ１  蓋回転軸（第１の回転軸）
Ｒ２  取っ手回転軸（第２の回転軸）
Ｓ  空間
【図１】
2019097683.tif 000003
【図２】
2019097683.tif 000004
【図３】
2019097683.tif 000005
【図４】
2019097683.tif 000006
【図５】
2019097683.tif 000007
【図６】
2019097683.tif 000008
【図７】
2019097683.tif 000009
【図８】
2019097683.tif 000010